(57)【要約】【課題】  ディスクに記録された所望のデータを、他方のディスクに繰返しダビングすることのできるディスク記録装置を提供する。【解決手段】  ディスク記録装置は、データが記録されるＨＤＤ５とＤＶＤ１６を有して、リモコン１４などを操作してユーザがＨＤＤ５に記録されたデータのうちから、ＤＶＤ１６にダビングを所望する部分のデータを指定すると、ＣＰＵ１０の制御のもとに、指定された部分データをＨＤＤ５から読出し、所定フォーマットに変換して、変換後の部分データをＤＶＤ１６にユーザが指定した回数分繰返し記録する。【選択図】        図１
2006134480.tif 000002
【特許請求の範囲】
【請求項１】
データが記録されるハードディスク装置と、
光ディスクと、
前記ハードディスク装置に記録されたデータのうちから、前記光ディスクに再記録する部分のデータである対象データを指定する対象指定手段と、
前記対象指定手段により指定された前記対象データを前記ハードディスク装置から読出す対象データ読出手段と、
前記対象データ読出手段により読出された前記対象データを、前記光ディスクに繰返し記録する繰返し記録手段とを備え、
前記繰返し記録手段は、前記対象データ読出手段により読出された前記対象データを、指定された回数繰返し前記第２のディスクに記録し、前記ディスク記録装置は、
前記繰返し記録手段による記録の繰返し回数を指定する回数指定手段をさらに備え、
または、
前記繰返し記録手段は、前記対象データ読出手段により読出された前記対象データを、指定された期間前記第２のディスクに繰返し記録し、前記ディスク記録装置は、
前記繰返し記録手段による記録の繰返し期間を指定する期間指定手段をさらに備え、
前記繰返し期間は、時間で指示される、または、前記第光ディスクの記録可能領域の容量に従う期間である、ディスク記録装置。
【請求項２】
データが記録される第１のディスクと、
第２のディスクと、
前記第１のディスクに記録されたデータのうちから、前記第２のディスクに再記録する部分のデータである対象データを指定する対象指定手段と、
前記対象指定手段により指定された前記対象データを前記第１のディスクから読出す対象データ読出手段と、
前記対象データ読出手段により読出された前記対象データを、前記第２のディスクに繰返し記録する繰返し記録手段とを備える、ディスク記録装置。
【請求項３】
前記繰返し記録手段は、前記対象データ読出手段により読出された前記対象データを、指定された回数繰返し前記第２のディスクに記録し、
前記ディスク記録装置は、
前記繰返し記録手段による記録の繰返し回数を指定する回数指定手段をさらに備える、請求項２に記載のディスク記録装置。
【請求項４】
前記繰返し記録手段は、前記対象データ読出手段により読出された前記対象データを、指定された期間前記第２のディスクに繰返し記録し、
前記ディスク記録装置は、
前記繰返し記録手段による記録の繰返し期間を指定する期間指定手段をさらに備える、請求項２に記載のディスク記録装置。
【請求項５】
前記繰返し期間は、時間で指示される、請求項４に記載のディスク記録装置。
【請求項６】
前記繰返し期間は、前記第２のディスクの記録可能領域の容量に従う期間である、請求項４に記載のディスク記録装置。
【請求項７】
前記第１のディスクはハードディスク装置であり、前記第２のディスクは光ディスクである、請求項２から６のいずれか１項に記載のディスク記録装置。
【発明の詳細な説明】
【技術分野】
【０００１】
この発明はディスク記録装置に関し、特に、第１のディスク記録媒体に記録されたデータを、第２のディスク記録媒体に転送して再記録するダビング機能を備えるディスク記録装置に関する。
【背景技術】
【０００２】
近年は、ディスク記録再生装置がよく普及しているので、ＤＶＤ(Digital Versatile Disc）などのディスク記録媒体に放送番組データを記録して保存し、再生して楽しむことができる。ディスク記録再生装置の記録媒体であるＤＶＤまたはＨＤＤ（Hard Disk Drive）などは従来の磁気テープに比べると記録容量がはるかに大きいので、多量の番組データを記録するのに適している。
【０００３】
個人的に好みの番組データがあった場合その番組データだけを繰返しＤＶＤにダビングして楽しもうとする要求がある。このように同じ番組データを繰返しＤＶＤに記録しておくことにより、そのＤＶＤを一旦再生モードにすれば、好みの番組データがエンドレスに再生出力されることになって、ユーザは何ら操作を行なうことなく好みの番組データを繰返し楽しむことができるという利便性がある。
【０００４】
同じデータを繰返しダビングする機能として、たとえば従来は、特許文献１に記載の技術が提供されていた。該文献では、２個のカセットテープレコーダを備えて、記録テープの選択領域のデータを反復して一方のカセットテープレコーダから他方のカセットテープレコーダに再記録するという技術が提供されている。
【特許文献１】特開平０５−１０１６１０号公報
【発明の開示】
【発明が解決しようとする課題】
【０００５】
上述した特許文献１では、ダビングの対象記録媒体はカセットテープレコーダであってＤＶＤなどのディスク媒体ではない。また繰返しダビング時にカセットテープレコーダのテープの巻戻し、早送りの操作を必要とするのでディスクに比べると操作性に優れないという欠点がある。
【０００６】
このように、従来はカセットテープレコーダからカセットテープレコーダへの選択領域データの反復ダビングの機能は提供されていたけれども、対象記録媒体をディスクとして、予め指定されたデータのみを繰返し反復ダビングするという機能は提供されていなかった。
【０００７】
それゆえにこの発明の目的は、ディスクに記録された所望のデータを、他方のディスクに繰返しダビングすることのできるディスク記録装置を提供することである。
【課題を解決するための手段】
【０００８】
この発明のある局面に従うディスク記録装置は、データが記録される第１のディスクと、第２のディスクと、第１のディスクに記録されたデータのうちから、第２のディスクに再記録する部分のデータである対象データを指定する対象指定手段と、対象指定手段により指定された対象データを第１のディスクから読出す対象データ読出手段と、対象データ読出手段により読出された対象データを、第２のディスクに繰返し記録する繰返し記録手段とを備える。
【発明の効果】
【０００９】
本発明によれば、対象指定手段を介して対象データを指定しておけば、対象指定手段により指定された対象データは第１のディスクから読出されて、第２のディスクに繰返し再記録されるから、ユーザは所望の対象データを指定するだけで、自動的に第２のディスクに該対象データを繰返しダビングすることができる。
【発明を実施するための最良の形態】
【００１０】
以下、この発明の実施の形態について図面を参照し説明する。
【００１１】
図１には、この発明の実施の形態に係るディスク記録再生装置の構成が示される。図１を参照してディスク記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ５、ＨＤＤ５によるＨＤへのデジタルデータの書込および読出とＤＶＤ１６へのデジタルデータの書込および読出とを制御する書込／読出制御部６、ＨＤＤ５によりＨＤから読出されたデジタルデータまたはＤＶＤ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００１２】
さらに、図１のディスク記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、ＤＶＤ１６、計時動作するタイマ１７およびＥＰＧ（Electric Program Guide）抽出部１８を備える。
【００１３】
ここでは、ＤＶＤ１６は、ＤＶＤ−Ｒ、ＤＶＤ−ＲＡＭ（ＤＶＤ−ＲＷ（Digital Versatile Disc ReWritable）ともいう）などであってよい。
【００１４】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して、または該描画データとＨＤＤ５またはＤＶＤ１６から読出されてデコーダ７を介して与えられるデータとをアナログ変換して、出力部９に出力するので、出力部９には与えられるデータに基づく画像が表示されることになる。
【００１５】
入力部１３はリモコン１４からの指令を入力しない場合には、外部からの指令・指示を入力するためのユーザにより操作される各種スイッチ、ボタンなどから構成されてもよい。
【００１６】
リモコン１４は、外部からユーザにより操作されるチャンネル指定などのためのテンキー１４０、スタートキー１４１、エンドキー１４２、カーソルキー１４３およびモード切換キー１４４を備える。カーソルキー１４３は出力部９に表示されるカーソルなどのポインタを上下左右のそれぞれの方向に移動させるための複数種類のキーを含む。スタートキー１４１とエンドキー１４２は、ダビング対象のデータを指定するために操作される。
【００１７】
ＥＰＧ抽出部１８はアンテナ１、チューナ２およびデジタル変換部３を経由して入力したデジタル情報から、放送信号とともに送信されている番組データのＥＰＧ情報を抽出して、抽出したＥＰＧ情報をＣＰＵ１０に与える。
【００１８】
なお、ＨＤＤ５によるＨＤへの情報の書込（記録）／読出（再生）、ならびにＤＶＤ１６への情報の書込（記録）／読出（再生）は、ＣＰＵ１０の制御の下に読出／書込制御部６を介して行なわれる。ここでは、ＨＤＤ５とＤＶＤ１６について読出／書込制御部６を共用して設けているが、書込／読出制御部６をそれぞれ個別に設けるようにしてもよい。
【００１９】
図２のフローチャートに従い、繰返しダビングの動作について説明する。
【００２０】
ユーザは、ＨＤＤ５に記録された所望のデータについて、繰返しＤＶＤ１６にダビングすることを希望した場合には、リモコン１４のモード切替キー１４４を操作して繰返しダビング機能の設定をする。ＣＰＵ１０は繰返しダビング機能が設定されたか否かを、リモコン１４からの信号を入力部１３を介して入力して判定する（ステップＳ（以下、単にＳと略す）３）。
【００２１】
ＣＰＵ１０は、入力信号に基づき、繰返しダビング機能が設定されていないと判定すれば（Ｓ３でＮＯ）、指定された他の処理へ移行する。
【００２２】
一方、繰返しダビング機能が設定されたと判定すれば（Ｓ３でＹＥＳ）、次に、ユーザにより指定されたダビングの対象データを特定する（ステップＳ５）。対象データ特定の処理の詳細は後述する。
【００２３】
次にＣＰＵ１０は、対象データの繰返しダビングについて、ユーザがリモコン１４を操作して設定した繰返しダビングの回数を入力して、回数データＲＰに設定する（Ｓ７）。その後、ダビング回数を制御する制御変数Ｎを１に初期設定する（Ｓ９）。
【００２４】
次にＣＰＵ１０は、対象データ特定の処理により特定されて記憶部１１に格納されたダビングの対象データを、記憶部１１において展開し、ＤＶＤ１６に適合したフォーマットに変換する（Ｓ１１）。
【００２５】
フォーマットに変換された後のデータは、記憶部１１から読出されてエンコーダ４に与えられ、ここでエンコード処理されて、エンコード処理後のデータはＤＶＤ１６に与えられる。このとき書込／読出制御部６はＣＰＵ１０により制御されてＤＶＤ１６に、与えられる対象データを記録するよう動作する（Ｓ１３）。記録後、ＣＰＵ１０は対象データのダビングが１回終了したので、制御変数Ｎの値を１だけインクリメントする（Ｓ１５）。
【００２６】
その後、ＣＰＵ１０は、制御変数Ｎの値とユーザにより初期設定された繰返し回数のデータＲＰとを比較しＮ＞ＲＰが成立するか否かを判定する（Ｓ１７）。成立すれば（Ｓ１７でＹＥＳ）、指定された繰返し回数分、対象データがＤＶＤ１６にダビングされたことになるので一連のダビング処理は終了するが、そうでなければ（Ｓ１７でＮＯ）、Ｓ１３の処理に戻り、Ｓ１３以降の処理を繰返す。これにより、記憶部１１においてフォーマット変換済の対象データは、再度、記憶部１１から読出されてＤＶＤ１６に記録される（制御変数Ｎも１インクリメントされる）。この記録動作はＳ１７で（Ｎ＞ＲＰ）の条件が成立すると判定されるまで繰返される。条件成立時には、ＤＶＤ１６には同一の対象データはＲＰ個記録された状態となる。
【００２７】
以上により、ユーザがＨＤＤ５の記録データのうち、所望の対象データのみを読出して、読出した対象データをＤＶＤ１６に指定された繰返し回数分反復して再記録（ダビング）することができる。
【００２８】
ここで図２のダビングの対象データ指定（Ｓ５）の処理について説明する。
【００２９】
図３には、ダビングの対象データ指定手順の一例が示される。まず、ＣＰＵ１０はＨＤＤ５に記録されている番組データのタイトルを読出して、番組タイトル一覧を、ＯＳＤ回路１５を介して出力部９に表示する。ユーザは表示されたタイトル一覧を見て、所望の番組タイトル、すなわちダビング対象データとなる番組タイトルの指定を、リモコン１４のカーソルキー１４３を操作して指定する（Ｓ５３）。
【００３０】
ＣＰＵ１０はリモコン１４から番組タイトル指定の信号を入力し、入力信号に基づき指定されていた番組データ、すなわちダビングの対象データとなる番組データをＨＤＤ５から読出し、記憶部１１に格納する（Ｓ５５）。これにより、ダビングの対象データの指定処理が終了する。
【００３１】
図３では、対象データは１個の番組データとしているが、図４に示されるように、ある番組データ中の所望の部分データであってもよい。たとえば図４のＳ６１とＳ６３では、前述したＳ５１とＳ５３の処理と同様の手順で、ＣＰＵ１０は、ユーザが指定する番組タイトルを入力する。
【００３２】
ＣＰＵ１０は指定の番組タイトルを入力すると、該番組タイトルの番組データをＨＤＤ５から読出して、読出された番組データはレコーダ７およびアナログ変換部８を介して出力部９に再生出力（表示）される（Ｓ６５）。
【００３３】
ユーザは指定番組データの再生画面を見ながら、ダビング対象の部分データを特定するためにリモコン１４を操作する。具体的には、出力部９の画面で所望の部分データの再生が開始したときスタートキー１４１を押下する（Ｓ６７でＹＥＳ）。このスタートキー１４１の押下の指示はＣＰＵ１０に与えられる。スタートキー１４１が押下されない（Ｓ６７でＮＯ）間は、指定番組データの再生画面が継続して出力される。
【００３４】
一旦、スタートキー１４１が押下されると（Ｓ６７でＹＥＳ）、ＣＰＵ１０は、そのときＨＤＤ５から読出されて出力部９に与えられているデータを、並行してデコーダ７を介して入力し記憶部１１に書込む（Ｓ６９）。その後、ユーザによりリモコン１４を操作して対象データの終りであることを指示するエンドキー１４２が操作されたか否かを判定する（Ｓ７１）。エンドキー１４２の操作がされない（Ｓ７１でＮＯ）間は、Ｓ６５の処理と同様の再生動作を行ない（Ｓ６８）、ＨＤＤ５から読出されて出力部９に表示されるデータは、並行して記憶部１１にも格納され続ける（Ｓ６９）。
【００３５】
一方、エンドキー１４２が押下されると（Ｓ７１でＹＥＳ）、その指示信号はＣＰＵ１０に与えられるので、ＣＰＵ１０は、当該指示信号に基づき、エンドキー１４２が押下されたことを検知する（Ｓ７１でＹＥＳ）。該検知に応じて、ＣＰＵ１０は、ＨＤＤ５からのデータ読出しを停止するので、記憶部１１に対するデータの格納動作は停止し（Ｓ７３）、また出力部９に対する再生出力も停止する。
【００３６】
これにより記憶部１１において指定タイトルの番組データの所望の部分データを、ダビングの対象データとして格納しておくことが可能となる。
【００３７】
図４では、番組データの所望の部分データとして、たとえばお気に入りのコマーシャルのデータ、お気に入りのアーティストの出演シーンのデータなどを指定できる。
【００３８】
図４の処理手順の一部は、次のように変更されてもよい。スタートキー１４１の操作後、エンドキー１４２が操作されずに、ユーザが再度、スタートキー１４１を操作する場合が想定される。このように、ユーザが再度、スタートキー１４１を操作した場合には、ＣＰＵ１０は、前回のスタートキー１４１の操作から記憶部１１に格納していたデータを廃棄（消去）し、再度、スタートキー１４１が操作された時点の再生データから記憶部１１への格納を開始する。このように処理することで、ユーザは、ダビング対象の部分データの開始タイミングを誤って指定しても、正しいタイミングのデータとなった時点で続けてスタートキー１４１を操作するだけで、所望する部分データをダビング対象データとして記憶部１１に格納することができる。
【００３９】
従来は、タイトル指定してダビングする操作を、ダビングする回数分、ユーザが繰返す必要があったけれども、本実施の形態では、番組タイトルというダビング対象データとダビング回数とを１回指定すれば、以降は自動的にダビングが繰返されるので、ユーザ操作が簡略化され、操作ミスも防止できる。
【００４０】
ここでは、対象データをダビングする期間は、繰返し回数ＲＰにより指定していたが、回数データに限らず、たとえばダビングする時間期間で指定したり、ＤＶＤ１６の記録可能領域がなくなるまでと指定したりすることも可能である。
【００４１】
ダビングの繰返しを時間期間で指定された場合には、ＣＰＵ１０は、タイマ１７が計時してＣＰＵ１０に与える時間データに基づき、ダビング開始から指定した時間期間だけダビングが繰返されたか否かを判定することができる。またＤＶＤ１６の記録可能領域がなくなるまでと指定された場合には、ダビング開始時に、ＣＰＵ１０はＤＶＤ１６の所定エリアに格納されている空き容量のデータを読込み、その後の繰返しダビング毎の、ダビング開始時に（ダビング対象データの容量＞（空き容量−それまでにダビングされたデータの総容量））の条件が成立するか否かを判定し、該条件が成立するまでダビングを繰返すことで対応できる。
【００４２】
また、ここではユーザがリモコン１４を操作することでダビングが開始されたが、ダビング予約の情報に従い自動で行なわれるようにしてもよい。つまり、記憶部１２にダビング開始時間を指示するデータ、およびダビング繰返し回数のデータＲＰを設定したダビング予約テーブル６１を準備しておき、ＣＰＵ１０は、ダビング予約テーブル６１の内容に従いダビング操作を実行する。つまり、タイマ１７が指示する計時時間がダビング予約テーブル６１のダビング開始時間を指したら、記憶部１１に予め格納されたダビング対象データを、データＲＰが示す回数だけ、繰返しダビングする。
【００４３】
本実施の形態では、ＨＤＤ５からＤＶＤ１６への転送を説明したが、ＤＶＤ１６からＨＤ５へ転送するというルートであってもかまわない。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】この発明の実施の形態に係るディスク記録再生装置の構成図である。
【図２】この発明の実施の形態に係る処理フローチャートである。
【図３】この発明の実施の形態に係るダビング対象データ指定の手順の一例を示すフローチャートである。
【図４】この発明の実施の形態に係るダビング対象データ指定の手順の他の例を示すフローチャートである。
【符号の説明】
【００４６】
５  ＨＤＤ、１０  ＣＰＵ、１１  記憶部、１４  リモコン、６１  ダビング予約テーブル、１４１  スタートキー、１４２  エンドキー。
【図１】
2006134480.tif 000003
【図２】
2006134480.tif 000004
【図３】
2006134480.tif 000005
【図４】
2006134480.tif 000006